(57)【要約】【課題】スイッチングスライスに対して適切な重み付け予測テーブルを算出できると共に、重み付け予測テーブルを算出する際の処理量を削減すること。【解決手段】入力動画像信号１０をＳＰスライスとして符号化する場合、切り替え部１８０を重み付け予測部１７０側に切り替え、テーブル算出部１７５はＤＣＴ部１１０が変換したＤＣＴ係数と、ＤＣＴ部１１５が変換したＤＣＴ係数とに基づいてウェイト値やオフセット値を求めて重み付けテーブルに設定し、重み付け予測部１７０へ出力する。【選択図】図１
2007201675.tif 000002
【特許請求の範囲】
【請求項１】
入力動画像信号をスライス単位で符号化する際、スイッチングスライスに対し重み付け予測テーブルに基づき重み付け予測符号化を行う動画像符号化装置であって、
前記入力動画像信号をＤＣＴ変換したＤＣＴ係数に基づいて前記重み付け予測テーブルを算出するテーブル算出部と、
前記テーブル算出部によって算出された前記重み付け予測テーブルに基づいて前記スイッチングスライスに対し重み付け予測を行う重み付け予測部と、
を有する動画像符号化装置。
【請求項２】
請求項１記載の画像符号化装置において、
前記テーブル算出部は、
前記ＤＣＴ係数のＤＣ成分に基づいて前記スイッチングスライスのＤＣ成分値を求める一方、前記ＤＣＴ係数のＡＣ成分に基づいて前記スイッチングスライスのＡＣ成分値を求め、
前記重み付け算出部は、
前記テーブル算出部によって求められた前記スイッチングスライスのＤＣ成分値およびＡＣ成分値に基づいて重み付け予測を行う際のウェイト値およびオフセット値を求めて重み付け予測を行う、
ことを特徴とする動画像符号化装置。
【請求項３】
入力動画像信号をスライス単位で符号化する際、スイッチングスライスに対し重み付け予測テーブルに基づき重み付け予測符号化を行う動画像符号化方法であって、
前記入力動画像信号をＤＣＴ変換したＤＣＴ係数に基づいて前記重み付け予測テーブルを算出し、算出した前記重み付け予測テーブルに基づいて前記スイッチングスライスに対し重み付け予測を行う、ことを特徴とする動画像符号化方法。
【発明の詳細な説明】
【技術分野】
【０００１】
本発明は、入力動画像信号をスライス単位で符号化する際、スイッチングスライスに対し重み付け予測テーブルに基づき重み付け予測符号化を行う動画像符号化装置および動画像符号化方法に関するものである。
【背景技術】
【０００２】
近年、インターネットやＤＶＤレコーダなどの普及により、デジタル表現された動画像はますます一般的になっている。動画像を少ない符号量で効率的に表現する手法として、ＭＰＥＧなどに代表される、フレーム間予測符号化方式が広く用いられている。しかし、ＭＰＥＧ４までのフレーム間予測符号化方式では、フェードしている動画像などにおいては、その振幅変動を予測していないために符号化時にノイズが重畳する問題があった。この問題を解決するため、新しい符号化方式であるＨ．２６４/ＭＰＥＧ４-ＡＶＣ（以下、ＡＶＣと略す。）符号化方式においては、重み付け予測方式が導入された（例えば、非特許文献１参照。）。この方式により振幅変動を予測し、高い符号化効率を実現できる。
【０００３】
このＡＶＣ符号化方式では、復号時にストリームの切り替えをスムーズにしたり、エラーを回復したり、トリックプレイをしたりするなどの目的で、Ｉ／Ｐ／Ｂのスライスに加えＳＩ（Swithing-I）スライス、およびＳＰ（Swithing-P）スライスというスイッチングスライスを定義している（例えば、非特許文献１参照。）。
【０００４】
ところで、ＡＶＣ符号化方式において重み付け予測には、任意の係数を用いて計算する明示的（Explicit）モードと、符号化するピクチャと参照ピクチャとの距離に応じた係数によって計算する暗黙的（Iｍplicit）モードとがあるが（例えば、非特許文献１参照。）、明示的モードの重み付け予測を行う場合、何らかの方法によって重み付け予測テーブルを用意する必要がある。
【０００５】
そこで、従来の重み付け予測方法では、重み付け予測テーブルを固定値にしたり（例えば、特許文献１参照。）また、別の従来例では、重み付け予測を行うスライスごとに、スライス全体の画素の平均値などから重み付け予測テーブルを算出している（例えば、特許文献２を参照）。
【非特許文献１】ISO/IEC 14496-10:2004, Information technology -- Coding of audio-visual objects-- Part 10: Advanced Video Coding
【特許文献１】特開２００４−７３７７号公報
【特許文献２】特開２００４−７３７９号公報
【発明の開示】
【発明が解決しようとする課題】
【０００６】
しかし、前述の特許文献１に記載の従来の重み付け予測テーブルの算出方法では、重み付け予測テーブルが固定値であるため、画像に対応した適切な重み付け予測テーブルを用いて重み付け予測を行うことができない、という問題がある。
【０００７】
また前述の特許文献２に記載の別の従来例では、重み付け予測を行うスライスごとに、スライス全体の輝度や色差の平均値などを算出しているため、平均値を算出するには１画素ごとの加算が必要となり、重み付け予測の処理量が増大する、という問題がある。
【０００８】
そこで、本発明は、スイッチングスライスに対して適切な重み付け予測テーブルを算出できると共に、重み付け予測テーブルを算出する際の処理量を削減することができる動画像符号化装置および動画像符号化方法を提供することを目的とする。
【課題を解決するための手段】
【０００９】
上記課題を解決するため、本発明の動画像符号化装置では、入力動画像信号をスライス単位で符号化する際、スイッチングスライスに対し重み付け予測テーブルに基づき重み付け予測符号化を行う動画像符号化装置であって、前記入力動画像信号をＤＣＴ変換したＤＣＴ係数に基づいて前記重み付け予測テーブルを算出するテーブル算出部と、前記テーブル算出部によって算出された前記重み付け予測テーブルに基づいて前記スイッチングスライスに対し重み付け予測を行う重み付け予測部と、を有する。
【００１０】
特に、上記画像符号化装置において、前記テーブル算出部は、前記ＤＣＴ係数のＤＣ成分に基づいて前記スイッチングスライスのＤＣ成分値を求める一方、前記ＤＣＴ係数のＡＣ成分に基づいて前記スイッチングスライスのＡＣ成分値を求め、前記重み付け算出部は、前記テーブル算出部によって求められた前記スイッチングスライスのＤＣ成分値およびＡＣ成分値に基づいて重み付け予測を行う際のウェイト値およびオフセット値を求めて重み付け予測を行う。
【００１１】
また、本発明の動画像符号化方法では、入力動画像信号をスライス単位で符号化する際、スイッチングスライスに対し重み付け予測テーブルに基づき重み付け予測符号化を行う動画像符号化方法であって、前記入力動画像信号をＤＣＴ変換したＤＣＴ係数に基づいて前記重み付け予測テーブルを算出し、算出した前記重み付け予測テーブルに基づいて前記スイッチングスライスに対し重み付け予測を行う。
【発明の効果】
【００１２】
本発明の動画像符号化装置および動画像符号化方法によれば、スイッチングスライスに対し重み付け予測テーブルに基づき重み付け予測符号化を行う際、入力動画像信号をＤＣＴ変換したＤＣＴ係数に基づいて重み付け予測テーブルを算出し、算出した前記重み付け予測テーブルに基づいてスイッチングスライスに対し重み付け予測を行うので、スイッチングスライスに対して適切な重み付け予測テーブルを算出することができ、かつ、その重み付け予測テーブルを算出する処理量の削減および処理の並列化を実現することができる。
【発明を実施するための最良の形態】
【００１３】
以下、本発明の動画像符号化装置および動画像符号化方法の実施の形態について説明する。なお、本実施の形態の動画像符号化装置および動画像符号化方法では、符号化方式として、ＡＶＣ符号化方式を採用している。ＡＶＣ符号化方式には、上述した通り、Ｉ,Ｐ,Ｂ,ＳＩ,ＳＰの各スライスタイプがある。Ｉスライスではイントラ符号化、Ｐスライスではイントラ符号化またはピクチャ１枚を参照するインター符号化、Ｂスライスではイントラ符号化またはピクチャ２枚までを参照するインター符号化を行うことができる。また、ＳＩスライスでは直前の復号フレームを参照画像としたイントラ符号化、ＳＰスライスでは直前の復号フレームを参照画像としたイントラ符号化または直前の復号フレームを参照画像としたインター符号化を行うことができる。これらＳＩ,ＳＰスライスは、Ｉ,Ｐ,Ｂスライスで行われる差分値の直交変換符号化とは異なり、直交変換後の差分値が符号化される。
【００１４】
図１は、スイッチングスライスを符号化するための本実施の形態の動画像符号化装置の構成の一例を示すブロック図である。
【００１５】
図１において、本実施の形態の動画像符号化装置１００は、ＤＣＴ部１１０，１１５、量子化部１２０，１２５、可変長符号化部１３０、逆量子化部１３５、逆ＤＣＴ部１４０、デブロックフィルタ部１４５、メモリ部１５０、動き推定（ＭＥ）部１５５、動き補償（ＭＣ）部１６０、イントラ予測部１６５、テーブル算出部１７５、重み付け予測部１７０、切り換え部１８０、減算器１８５、および加算器１９０を有しており、入力動画像信号１０を本実施の形態の重み付け予測符号化方式により予測符号化して符号化ビットストリーム２０を出力している。
【００１６】
図２は、本実施の形態の動画像復号装置の構成の一例を示すブロック図である。
【００１７】
図２において、本実施の形態の動画像復号化装置２００は、可変長復号化部２１０、逆量子化部２２０、逆ＤＣＴ部２３０、イントラ予測部２４０、ＭＣ部２５０、重み付け予測部２６０、デブロックフィルタ部２８０、メモリ部２７０、切り換え部２９０、加算器２９５を有しており、図１に示す動画像復号化装置１００により符号化された符号化ビットストリーム２０を復号して、出力信号３０を出力するように構成されている。
【００１８】
次に、動画像符号化装置１００および動画像復号装置２００におけるスイッチングスライスに対する重み付け予測について説明する。
【００１９】
つまり、本実施の形態の動画像符号化装置１００では、入力動画像信号１０を構成するフレームをＳＰスライスとして符号化する場合、図１に示すように、切り替え部１８０の切り替え先が重み付け予測部１７０側になる。
【００２０】
すると、テーブル算出部１７５は、ＤＣＴ部１１０がＤＣＴ変換した係数と、ＤＣＴ部１１５がＤＣＴ変換した係数とに基づいて、重み付けに使用するウェイト値やオフセット値を求め、重み付けテーブルに設定し、重み付け予測部１７０へ出力する。
【００２１】
そして、動き推定（ＭＥ）部１５５や動き補償（ＭＣ）部１６０がメモリ部１５０に格納されたそれ以前のフレームの局所復号画像（参照画像）に対し動き推定および動き補償をし、重み付け予測部１７０がテーブル算出部１７５によって算出された重み付けテーブルに設定されたウェイト値やオフセット値に基づいて重み付け予測をし、重み付け予測されたインター予測信号をＤＣＴ部１１５へ出力する。
【００２２】
これに対し、入力動画像信号１０を構成するフレームをＳIスライスとして符号化する場合、本実施の形態の動画像符号化装置１００では、図１に示すように、切り替え部１８０の切り替え先がイントラ予測部１６５側になり、イントラ予測信号をＤＣＴ部１１５へ出力する。
【００２３】
なお、ＤＣＴ部１１０，１１５によってＤＣＴ変換された係数は、ぞれぞれ量子化部１２０，１２５によって量子化された後、減算器１８５によって減算され、その差分が可変長符号化部１３０によって可変長符号化され、符号化ビットストリーム２０として出力される一方、逆量子化部１３５によって逆量子化が施され、逆ＤＣＴ部１４０によって逆ＤＣＴが施され、加算器１９０にて切り替え部１８０を介したインター予測信号またはイントラ予測信号と加算され、デブロックフィルタ部１４５によってデブロックフィルタ処理がされて、メモリ部１５０内に局所復号画像（参照画像）として蓄積される。
【００２４】
一方、本実施の形態の動画像復号装置２００では、符号化ビットストリーム２０がＳＰスライスとして符号化されている場合、図２に示すように、切り替え部２９０の切り替え先が重み付け予測部２６０側になり、逆量子化部２２０および逆ＤＣＴ部２３０により逆変換された復号信号と、動き補償（ＭＣ）部２５０および重み付け予測部２６０により動き補償の際に重み付け予測をされた復号信号とを加算器２９５にて加算し、復元した信号をデブロックフィルタ部２８０を介しメモリ部２７０へ出力する。
【００２５】
これに対し、本実施の形態の動画像復号装置２００では、符号化ビットストリーム２０がＳIスライスとして符号化されている場合、図２に示すように、切り替え部２９０の切り替え先がイントラ予測部２４０側になり、逆量子化部２２０および逆ＤＣＴ部２３０により逆変換された復号信号と、イントラ予測部２４０によりイントラ予測をされた復号信号とを加算器２９５にて加算し、復元した信号をデブロックフィルタ部２８０を介しメモリ部２７０へ出力する。
【００２６】
ここで、本実施の形態におけるＡＶＣ符号化方式におけるインター予測について補足する。
【００２７】
本実施の形態の動画像符号化装置１００に示すＡＶＣ符号化方式では、符号化効率向上のため、複数の参照ピクチャを使用するマルチリファレンスを採用している。ここで、参照ピクチャは、リストとして管理し、主に前方向の予測に用いられる場合にはＬ０、主に後方向の予測に用いられる場合にはＬ１として区別している。また、どの参照ピクチャを用いているかを、参照インデックスを用いて表している。
【００２８】
次に、重み付け予測部１７０による重み付け予測について説明する。
【００２９】
重み付け予測部１７０における重み付け予測は、前述の非特許文献１等に以下のように定義されている。具体的には、位置[x,y]の重み付け予測前の値は、Ｌ０予測の場合にはpredPartＬ０C[x,y]、Ｌ１予測の場合にはpredPartＬ１C[x,y]であり、位置[x,y]の重み付け予測後の値はpredPartC[x,y]（C＝Ｌのときは輝度、C ＝Cbのときは青色差、C ＝ Crのときは赤色差）である。また、クリップ関数にあるBitDepthYおよびBitDepthCは、輝度及び色差のビット深度である。
【００３０】
具体的には、
【００３１】
【数１】
2007201675.tif 000003
【００３２】
とすると、片方向予測（Ｌ０）の場合、位置[x,y]の重み付け予測後の値はpredPartC[x,y]は、以下の式（４）または式（５）のようになる。
【００３３】
【数２】
2007201675.tif 000004
【００３４】
また、片方向予測（Ｌ１）の場合、位置[x,y]の重み付け予測後の値はpredPartC[x,y]は、以下の式（６）または式（７）のようになる。
【００３５】
【数３】
2007201675.tif 000005
【００３６】
双予測の場合、位置[x,y]の重み付け予測後の値predPartC[x,y]は、以下の式（８）のようになる。
【００３７】
【数４】
2007201675.tif 000006
【００３８】
ここで、ＡＶＣ符号化方式の明示的モードの重み付け予測の場合の重み付け予測テーブルは、次式（９）〜（１２）のように定義される。ここで、Ｌ０予測の参照ピクチャを示す参照インデックスはrefＩdxＬ０、Ｌ１予測の参照ピクチャを示す参照インデックスはrefＩdxＬ１とする。
【００３９】
【数５】
2007201675.tif 000007
【００４０】
ここで、輝度の場合、logWD、ウェイト値Ｗｏ，Ｗ１およびオフセット値Ｏｏ、Ｏ1は、以下の式（１３）〜（１７）のようになる。
【００４１】
【数６】
2007201675.tif 000008
【００４２】
色差の場合、logWD、ウェイト値Ｗｏ，Ｗ１およびオフセット値Ｏｏ、Ｏ1は、iCbCr＝０のときはCb、iCbCr＝１のときはCrを示すものとして、以下の式（１８）〜（２２）のようになる。
【００４３】
【数７】
2007201675.tif 000009
【００４４】
ただし、双予測時には、ウェイト値Ｗｏ、Ｗ１は次の式（２３）の制限に従う。
【００４５】
【数８】
2007201675.tif 000010
【００４６】
次に、本実施の形態のテーブル算出部１７５が重み付けテーブルに設定するウェイト値およびオフセット値を算出する際の処理量を削減する方法の一例を説明する。
【００４７】
従来のテーブル算出部では、ＤＣＴ変換前の入力動画像信号１０に基づいて重み付け予測テーブルを算出していたが、本実施の形態のテーブル算出部１７５では、図１に示すように、ＤＣＴ部１１０，１１５からのＤＣＴ係数に基づいて重み付け予測テーブルに設定するウェイト値およびオフセット値を算出することを特徴としている。テーブル算出以外の処理については従来と変わらない。
【００４８】
以下、重み付け予測テーブルの算出は、輝度に対して行うものとして説明するが、色差についても、輝度と同様の処理で重み付け予測テーブルを算出できる。
【００４９】
ここで、従来の重み付け予測に用いる重み付け予測テーブルの算出方法について説明する。従来の算出方法では、まず、符号化対象フレームのスライスＳの輝度値の平均値であるＤＣ成分値dc_cur、およびＡＣ成分値ac_curを以下の式（２４）〜式（２６）により求める。
【００５０】
つまり、フレームの座標(x, y)に対してx方向i番目およびy方向j番目のブロックをＢiおよびＢj、４x４ブロック内n番目（最も左上が０番目）の位置の画素値をp_n、スライスＳ内の画素数をNとすると、スライスＳのＤＣ成分値dc_curおよびＡＣ成分値ac_curは、
【００５１】
2007201675.tif 000011
【００５２】
となる。つまり、ＤＣ成分値dc_curは、上記式（２４）に示すように、画素値p_nの平均値である。また、ＡＣ成分値ac_curは、式（２５）と式（２６）のどちらの式を用いてもよいが、式(２６)は、式(２５)に比べて演算量が増加する。
【００５３】
次に、参照フレームに対しても、参照インデックスrefIdxL0WＰ,refIdxL1WＰに対し同様の計算を行い、そのＤＣおよびＡＣ成分値をdc_refおよびac_refとする。以上の値より、重み付け予測のウェイト値Ｗｏ、Ｗ１およびオフセット値Ｏｏ、Ｏ１を、以下の式（２７）〜式（３０）のように算出する。logWDによる左ビットシフトは、ビットシフトしない値を２のべきに近似するために行う。
【００５４】
2007201675.tif 000012
【００５５】
一方、本発明の実施の形態では、ＤＣＴ部１１０,１１５からの出力であるＤＣＴ係数をテーブル算出部１７５に読み込み、ＤＣＴ係数に基づいて重み付け予測に用いる重み付け予測テーブルを算出する。これは、スイッチングスライスでは、差分値をとる前にＤＣＴ変換するため、このＤＣＴ係数は変換前の画像の性質を表すことを利用したものである。
【００５６】
図３に、４×４のＤＣＴ係数を示す。
【００５７】
ＤＣＴ係数は、図３に示すように、４x４ブロックの場合、最も左上の係数(q０)がＤＣ係数（ＤＣ成分値）、その他の係数(q１〜q１５)がＡＣ係数（ＡＣ成分値）である。ここで、４x４ブロックの各画素値をＤＣＴ変換した係数は、低周波数項に偏り、極論すれば、ＤＣ係数（ＤＣ成分値）が４x４ブロックの各画素値を示すことも可能となる。
【００５８】
よって、ＤＣ係数（ＤＣ成分値）をスライスＳ内で加算してスライスＳ内の画素数Ｎで平均化すれば、式(２４)の右辺と同様にスライスＳ内の画素値の状態を表すことが可能になるので、本実施の形態のテーブル算出部１７５では、ＤＣ成分値dc_curを、ＤＣＴ部１１０，１１５からのＤＣ係数を入力して、以下の式（３１）により求める。
【００５９】
2007201675.tif 000013
【００６０】
ここで、q０は、ＤＣ係数を示す。
【００６１】
よって、式(３１)の場合、加算回数は、１６画素に対して１回で済むため、従来のdc_curの算出式(２４)の１画素ごとに１６回加算して平均するのに比べ、処理量を１／１６と大幅に削減できる。
【００６２】
また、ＤＣＴ係数の最も左上の係数q０以外の係数がＡＣ係数である。式(２５)あるいは式(２６)の右辺は、dc_curに対するスライスＳ内の各画素値の偏差の平均を示しているので、ＡＣ係数をスライスＳ内で加算すれば、式(２５)あるいは式(２６)の右辺と同様にスライスＳ内の画素値の状態を表すことが可能になる。そこで、本実施の形態のテーブル算出部１７５では、ＡＣ成分値ac_curを、ＤＣＴ部１１０，１１５からのＡＣ係数を入力して、以下の式（３２）により求める。
【００６３】
2007201675.tif 000014
【００６４】
ここで、qnは、４x４ブロック内n番目のＤＣＴ係数であり、ＡＣ係数を示す。従来のＡＣ成分値ac_curの算出式(２５)を用いた場合に比べて、本実施の形態による式(３２)では、減算および絶対値演算が不要となるので、演算量を削減することができる。
【００６５】
それに加え、従来の式(２５)では、式（２４）により求まるＤＣ成分値dc_curの値を利用しているため、ＤＣ成分値dc_curが求まる前にＡＣ成分値ac_curを算出することはできないが、本実施の形態による式(３２)では、ＤＣ成分値dc_curの値を利用しないので、式（３１），（３２）を同時に計算することにより、ＤＣ成分値dc_curとＡＣ成分値ac_curとを独立して算出することができ、処理の並列化が可能となる。
【００６６】
以上の方法で、符号化対象のスイッチングスライスＳのＤＣ成分値dc_curおよびＡＣ成分値ac_curと、参照フレームのＤＣ成分値dc_refおよびＡＣ成分値ac_refを計算し、式(２７)から式(３０)によりウェイト値Ｗｏ、Ｗ１およびオフセット値Ｏｏ、Ｏ１を算出する。なお、式(２７)および式(２８)により、ウェイト値Ｗｏ、Ｗ１はＡＣ成分値の比になるので、式(３２)において画素数Ｎで割る必要がないことは明らかである。
【００６７】
このように、本実施の形態の重み付け予測テーブルの算出方法によれば、スイッチングスライスについて重み付け予測を行う際、ＤＣＴ変換後のＤＣＴ係数に基づいて重み付け予測テーブルを算出するので、スイッチングスライスに対して適切な重み付け予測テーブルを用意することができると共に、重み付け予測テーブルを算出する際の処理量の削減および処理の並列化が実現することができる。
【００６８】
その結果、処理量の削減により、ソフトウェア的には処理速度を向上させることが可能となり、ハードウェア的には消費電力を低減させることが可能となる。また、処理の並列化は、特にハードウェア的に処理速度を向上させることが可能となる。
【００６９】
なお、上記実施の形態では、上記式（２７），（２８）に示すように、ＤＣＴ係数のうちのＡＣ成分値ac_curを重み付け予測テーブルのウェイト値Ｗｏ，Ｗ１の算出に用いたが、さらにそのＡＣ成分値ac_curをintra/inter判定に用いるようにしても良い。例えば、ＳＰスライスにおいて、現ブロックのＡＣ成分値ac_curが周辺のブロックに比べて大きい場合には、そのブロックはＡＣ成分値を多く含むので、現ブロックはinterとして符号化されやすいようにしてもよい。また、ＰおよびＢスライスにおいてＤＣＴ変換を施し、現ブロックのＡＣ係数が周辺のブロックに比べて大きい場合には、そのブロックはＡＣ成分値を多く含むので、現ブロックはinterとして符号化されやすいようにしてもよい。
【００７０】
また、重み付け予測の定義式より、ウェイト値Ｗｏ、Ｗ１が２のべき乗の場合には右にnビットシフトし、かつlogWDからnを引いても良いことは明らかである。よって、重み付け予測テーブルの符号量削減のため、ウェイト値Ｗｏ、Ｗ１が２のべき乗に近い場合に２のべき乗に近似して、上記重み付け予測の定義式に適用しても勿論良い。
【図面の簡単な説明】
【００７１】
【図１】実施の形態の動画像符号化装置の構成の一例を示すブロック図である。
【図２】実施の形態の動画像復号装置の構成の一例を示すブロック図である。
【図３】４×４ＤＣＴ係数を示す図である。
【符号の説明】
【００７２】
１０  入力動画像信号
２０  符号化ビットストリーム
３０  出力信号
１００  動画像符号化装置
１１０，１１５  ＤＣＴ部
１２０，１２５  量子化部
１３０  可変長符号化部
１３５  逆量子化部
１４０  ＤＣＴ部
１４５  デブロックフィルタ部
１５０  メモリ部
１５５  ＭＥ部
１６０  ＭＣ部
１６５  イントラ予測部
１７０  重み付け予測部
１７５  テーブル算出部
１８０  切り替え部
１８５  減算器
１９０  加算器
２００  動画像復号化装置
２１０  可変長復号化部
２２０  逆量子化部
２３０  逆ＤＣＴ部
２４０  イントラ予測部
２５０  ＭＣ部
２６０  重み付け予測部
２７０  メモリ部
２８０  デブロックフィルタ部
２９０  切り替え器
２９５  加算器
【図１】
2007201675.tif 000015
【図２】
2007201675.tif 000016
【図３】
2007201675.tif 000017